(57)【要約】【課題】  ユーザの誤操作による未視聴領域の誤視聴を防止することができる映像音声再生装置および未視聴領域の誤視聴防止方法を提供する。【解決手段】  映像音声再生装置１は、再生部１１により再生中のコンテンツデータの最大再生位置が、最大再生位置記憶部１２に記憶されている過去の最大再生位置を超えたときは、最大再生位置更新部１３が、最大再生位置記憶部１２に記憶させる最大再生位置を更新する。また、再生関連コマンドの入力を監視するコマンド入力監視部１５が特殊再生コマンドの入力を検知したときに、再生位置検出部１４により検出されたコンテンツデータの現在の再生位置が、最大再生位置記憶部１２に記憶されている最大再生位置を超えているときは、誤視聴判定部１６が未視聴領域の誤視聴と判定する。そのとき、警告発生部１７は警告を発する。【選択図】  図１
2007287240.tif 000002
【特許請求の範囲】
【請求項１】
記憶媒体に記録されているコンテンツデータの映像および音声を再生する再生手段と、
前記コンテンツデータの過去の再生における最大再生位置を記憶する最大再生位置記憶手段と、
前記コンテンツデータの再生中の最大再生位置を常時検出し、その検出した最大再生位置が前記最大再生位置記憶手段に記憶されている前記最大再生位置を超えたときは、その再生が停止されたときに、前記最大再生位置記憶手段に記憶させる前記最大再生位置を前記検出した最大再生位置に更新する最大再生位置更新手段と、
前記コンテンツデータの現在の再生位置を検出する再生位置検出手段と、
前記再生手段への再生関連コマンドの入力を監視するコマンド入力監視手段と、
前記コマンド入力監視手段が特殊再生コマンドの入力を検知したときに、前記再生位置検出手段により検出された現在の再生位置が前記最大再生位置記憶手段に記憶されている前記最大再生位置を超えているときは、未視聴領域の誤視聴と判定する誤視聴判定手段と、
前記誤視聴判定手段が前記誤視聴と判定したときに映像および音声による警告を発する警告発生手段と
を備えることを特徴とする映像音声再生装置。
【請求項２】
映像および音声信号の多重化手段をさらに備え、前記警告発生手段から発せられる前記映像および音声による警告を前記再生手段から出力される映像および音声再生信号に多重化して出力することを特徴とする請求項１に記載の映像音声再生装置。
【請求項３】
映像および音声信号の選択手段をさらに備え、前記警告発生手段から前記警告が発せられたときは、前記再生手段から出力される映像および音声再生信号に代えて、前記警告発生手段から出力される前記映像および音声による警告を出力することを特徴とする請求項１に記載の映像音声再生装置。
【請求項４】
さらに、外部から入力された誤視聴判定実行制御信号が、前記誤視聴判定手段の誤視聴判定の実行／非実行を制御することを特徴とする請求項１乃至３のいずれか１項に記載の映像音声再生装置。
【請求項５】
記憶媒体に記録されているコンテンツデータの映像および音声を再生する再生手段へのユーザによる特殊再生コマンドの入力が行われたときに、現在の再生位置を検出するステップと、
前記現在の再生位置を最大再生位置記憶手段に記憶されている過去の再生における最大再生位置と比較するステップと、
前記現在の再生位置が最大再生位置記憶手段に記憶されている前記最大再生位置を超えているときは警告を発し、前記特殊再生コマンドの実行を中止するかどうかをユーザに確認するステップと、
前記特殊再生コマンドの実行の中止を確認したときに、前記特殊再生コマンドの実行を停止させるコマンドを発行するステップと
を有することを特徴とする未視聴領域の誤視聴防止方法。
【発明の詳細な説明】
【技術分野】
【０００１】
本発明は、映像音声再生装置に関し、特に記録媒体に記録されたデータを再生する映像音声再生装置、およびその映像音声再生装置を用いて、再生している記録媒体の未視聴領域の誤視聴を防止する未視聴領域の誤視聴防止方法に関する。
【背景技術】
【０００２】
近年普及が著しい、ハードディスクレコーダやＤＶＤプレーヤ等のランダムアクセス可能な記録媒体を再生する映像音声再生装置は、その高速のランダムアクセス機能を活用して所望の再生位置へ迅速に移動するインデックスサーチや、高速早送りしながら映像の再生が可能な早送り再生機能などの特殊な再生機能を有していることが多い。
【０００３】
また、再生を途中で停止させた場合にその停止位置から次回の再生を再開する、レジューム機能を有している再生装置も多い（例えば、特許文献１参照。）。このレジューム機能を用いれば、ユーザは、前回視聴した部分を再度視聴することなく、その続きを即座に視聴することができる。
【０００４】
ところで、このようなレジューム機能を利用して、記録媒体に記録されているコンテンツの再生を行う場合に、そのコンテンツをユーザが初めて再生する場合、そのレジューム位置以降の記録媒体の領域は、そのユーザにとって、未視聴領域となる。そこで、レジューム機能を用いて、再生を再開するような場合、一般に、このような未視聴領域に対して、ユーザは、まず、通常再生を行なって、そのコンテンツを楽しみたいと思うものである。
【０００５】
ところが、再生ボタンを押す代わりに、誤って、インデックスサーチボタンや早送り再生ボタンを押してしまうことがある。そのような場合、未視聴領域が思わぬ形で再生され、例えば、映画やドラマの次の展開や結末などを知ってしまうことがある。その結果、そのコンテンツに対する興味がそがれてしまうことが起きる。
【０００６】
また、一旦レジューム位置を記録しても、再生再開後、再生位置を前に戻して再度停止すると、レジューム位置が最後に停止した位置に更新される。この場合、レジューム位置以降の記録媒体の領域には、既視聴領域と未視聴領域が混在することになる。このような場合、レジューム位置からの再生再開後に、既視聴領域を早送り再生して、未視聴領域の頭出しをしようとすることが多い。しかし、早送り再生の停止が遅れると、やはり、未視聴領域を再生してしまうという問題が発生する。
【０００７】
上述したように、従来の映像音声再生装置では、ユーザの誤操作による未視聴領域の誤視聴を防止することができないという問題があった。
【特許文献１】特開２００２−１１２２０１号公報  （第６ページ、図５）
【発明の開示】
【発明が解決しようとする課題】
【０００８】
そこで、本発明の目的は、ユーザの誤操作による未視聴領域の誤視聴を防止することができる映像音声再生装置および未視聴領域の誤視聴防止方法を提供することにある。
【課題を解決するための手段】
【０００９】
本発明の一態様によれば、記憶媒体に記録されているコンテンツデータの映像および音声を再生する再生手段と、前記コンテンツデータの過去の再生における最大再生位置を記憶する最大再生位置記憶手段と、前記コンテンツデータの再生中の最大再生位置を常時検出し、その検出した最大再生位置が前記最大再生位置記憶手段に記憶されている前記最大再生位置を超えたときは、その再生が停止されたときに、前記最大再生位置記憶手段に記憶させる前記最大再生位置を前記検出した最大再生位置に更新する最大再生位置更新手段と、前記コンテンツデータの現在の再生位置を検出する再生位置検出手段と、前記再生手段への再生関連コマンドの入力を監視するコマンド入力監視手段と、前記コマンド入力監視手段が特殊再生コマンドの入力を検知したときに、前記再生位置検出手段により検出された現在の再生位置が前記最大再生位置記憶手段に記憶されている前記最大再生位置を超えているときは、未視聴領域の誤視聴と判定する誤視聴判定手段と、前記誤視聴判定手段が前記誤視聴と判定したときに映像および音声による警告を発する警告発生手段とを備えることを特徴とする映像音声再生装置が提供される。
【発明の効果】
【００１０】
本発明によれば、ユーザの誤操作による未視聴領域の誤視聴を防止することができるので、記録媒体に記録されているコンテンツに対するユーザの興味がそがれてしまうことを防止することができる。
【発明を実施するための最良の形態】
【００１１】
以下、本発明の実施例を図面を参照して説明する。
【実施例１】
【００１２】
図１は、本発明の本発明の実施例１に係る映像音声再生装置の構成の例を示すブロック図である。
【００１３】
本実施例の映像音声再生装置１は、外部の記録媒体１００に記録されているコンテンツデータの映像および音声を再生する再生部１１と、そのコンテンツデータの過去の再生における最大再生位置を記憶する最大再生位置記憶部１２と、再生中のコンテンツデータの最大再生位置を常時検出し、その検出した最大再生位置が最大再生位置記憶部１２に記憶されている最大再生位置を超えたときは、最大再生位置記憶部１２に記憶させる最大再生位置を新たに検出した最大再生位置に更新する最大再生位置更新部１３とを備える。
【００１４】
また、本実施例の映像音声再生装置１は、再生中のコンテンツデータの現在の再生位置を検出する再生位置検出部１４と、再生部１１への再生関連コマンドの入力を監視するコマンド入力監視部１５と、コマンド入力監視部１５が特殊再生コマンドの入力を検知したときに、再生位置検出部１４により検出された現在の再生位置が最大再生位置記憶部１２に記憶されている最大再生位置を超えているときは、未視聴領域の誤視聴と判定する誤視聴判定部１６と、誤視聴判定部１６が誤視聴と判定したときに映像および音声による警告を発する警告発生部１７とを備える。
【００１５】
本実施例では、警告発生部１７から発せられた映像および音声による警告は、多重化部１８により、再生部１１から出力される映像および音声再生信号に多重化され、映像音声再生装置１の外部へ出力される。
【００１６】
なお、再生部１１の再生は、再生関連コマンドの入力を受ける再生制御部５０により制御される。
【００１７】
最大再生位置更新部１３は、再生中のコンテンツデータの最大再生位置を常時検出し、最大再生位置記憶部１２に記憶されている過去の再生における最大再生位置との比較を行なう。この比較により、現在の再生における最大再生位置が、最大再生位置記憶部１２に記憶されている最大再生位置を超えたときは、最大再生位置記憶部１２に記憶させる最大再生位置を現在の再生における最大再生位置に更新する。なお、この更新は、現在の再生の停止時に行なう。
【００１８】
図２は、この最大再生位置更新部１３における再生最大値更新動作の様子を模式的に示したものである。図２では、コンテンツデータの記録領域を、左端を先頭とし、右端を末尾として表している。したがって、映像音声再生装置１における再生では、図２の左から右に向かって、コンテンツデータが再生されるものとする。
【００１９】
図２（ａ）は、コンテンツデータの１回目の再生が、コンテンツデータの途中で停止されたときの様子を示している。
【００２０】
この再生における最も再生の進んだ位置が、最大再生位置として、最大再生位置記憶部１２に記憶される。
【００２１】
したがって、コンテンツデータの記録領域の先頭からこの最大再生位置までが、このコンテンツデータの既視聴領域となり、この最大再生位置から記録領域の末尾までが、この時点での未視聴領域となる。すなわち、この最大再生位置が、既視聴領域と未視聴領域との境界を示す。
【００２２】
図２（ｂ）は、コンテンツデータの２回目以降の再生が、既視聴領域内で行なわれたときの最大再生位置更新部１３の動作の様子を示す。
【００２３】
この再生では、図２（ａ）に示した最大再生位置を超える領域のコンテンツデータは再生されないので、最大再生位置更新部１３は、再生最大値の更新動作を行わない。その結果、最大再生位置記憶部１２に記憶されている最大再生位置のデータはそのまま保持される。
【００２４】
この点が、再生終了時に既視聴領域内へレジューム位置が更新される従来のレジューム位置記憶動作とは異なる点である。
【００２５】
図２（ｃ）は、コンテンツデータの２回目以降の再生が１回目の再生終了位置から行なわれたときの最大再生位置更新部１３の再生最大値更新動作の様子を示す。
【００２６】
この場合、再生が進むに連れ、最大再生位置は、図の右側へ進んで行く。すなわち、この再生における最大再生位置は、最大再生位置記憶部１２に記憶されている最大再生位置を超える。
【００２７】
そこで、最大再生位置更新部１３は、この再生の終了時点で、最大再生位置記憶部１２に記憶させる最大再生位置をこの再生における最大再生位置に更新する。この更新された最大再生位置が、コンテンツデータの既視聴領域と未視聴領域の新たな境界を示す。
【００２８】
このように、最大再生位置記憶部１２に記憶されている最大再生位置は、常に、コンテンツデータの既視聴領域と未視聴領域の境界を示す。
【００２９】
これを利用して、誤視聴判定部１６は、ユーザが、コンテンツデータの未視聴領域を、早送り再生などの特殊再生で視聴しようとしていないか、すなわち、未視聴領域を誤視聴しようとしていないか、を判定する。
【００３０】
図３は、この誤視聴判定部１６における未視聴領域の誤視聴判定動作の様子を模式的に示したものである。図３では、特殊再生として早送り再生が行なわれたときの例を示す。
【００３１】
図３（ａ）は、早送り再生が、コンテンツデータの既視聴領域内で行われているときの様子を示す。
【００３２】
このとき、誤視聴判定部１６は、再生位置検出部１４により検出された現在の再生位置と、最大再生位置記憶部１２に記憶されている最大再生位置と、を比較する。この場合、現在の再生位置は、最大再生位置より手前にあるので、誤視聴判定部１６は、誤視聴とは判定しない。
【００３３】
一方、図３（ｂ）は、早送り再生が、コンテンツデータの既視聴領域を超えて行われようとしているときの様子を示す。
【００３４】
この場合、現在の再生位置が、最大再生位置を超えるので、誤視聴判定部１６は、誤視聴と判定する。
【００３５】
次に、本実施例の映像音声再生装置１を用いてコンテンツデータの未視聴領域の誤視聴を防止する方法について、図４を用いて説明する。
【００３６】
図４は、映像音声再生装置１を用いた未視聴領域の誤視聴防止方法のフローを示すフロー図である。
【００３７】
映像音声再生装置１によるコンテンツデータの再生が開始されると、コマンド入力監視部１５は再生関連コマンドの入力を監視する（ステップＳ０１）。
【００３８】
誤視聴判定部１６は、コマンド入力監視部１５が特殊再生コマンドの入力を検知したかどうかをチェックする（ステップＳ０２）。特殊再生コマンドの入力が検知されない場合は（ＮＯ）、コマンド入力監視部１５による再生関連コマンドの入力の監視を継続する。
【００３９】
特殊再生コマンドの入力が検知されたときは（ＹＥＳ）、誤視聴判定部１６は、再生位置検出部１４から現在の再生位置を取得する（ステップＳ０３）。
【００４０】
続いて、誤視聴判定部１６は、取得した現在の再生位置が、最大再生位置記憶部１２に記憶されている最大再生位置を超えているかどうかの比較を行なう（ステップＳ０４）。現在の再生位置が最大再生位置を超えていないときは（ＮＯ）、ステップＳ０３へ戻って、以降の処理を繰り返す。
【００４１】
現在の再生位置が最大再生位置を超えているときは（ＹＥＳ）、誤視聴判定部１６は、未視聴領域の誤視聴と判定し、再生制御部５０により実行中の特殊再生を一時停止する（ステップＳ０５）。これにより、未視聴領域に対する特殊再生が、そのまま進行することを防止する。
【００４２】
さらに、誤視聴判定部１６が誤視聴と判定すると、警告発生部１７が映像および音声による警告を発し、再生部１１からの再生信号に多重化部１８により多重化して、例えば、テレビ受像機などの映像／音声表示装置に警告を表示する（ステップＳ０６）。
【００４３】
この警告表示には、実行中の特殊再生を中止していいかどうかをユーザに確認する表示が含まれており、特殊再生中止に対するユーザの判断を求める（ステップＳ０７）。
【００４４】
図５に、例えば、未視聴領域を早送り再生しようとしたときに、テレビ受像機に表示される警告表示の例を示す。
【００４５】
この例では、テレビ受像機の画面に、未視聴領域を早送り再生しようとしていることを警告するメッセージと、実行中の特殊再生を中止していいかどうかをユーザに確認する画面も表示される。この確認画面に対して、ユーザは、「中止」または「いいえ」のボタンを押して回答する。
【００４６】
なお、テレビ受像機のスピーカからは、警告音声が同時に出力される。
【００４７】
図４に戻って、ユーザから特殊再生を「中止する」との回答があった場合（ステップＳ０７のＹＥＳ）、再生制御部５０は、停止コマンドを発行し（ステップＳ０８）、一時停止していた特殊再生の実行をそのまま中止させる。
【００４８】
一方、ユーザから特殊再生を「中止しない」との回答があった場合（ステップＳ０７のＮＯ）、再生制御部５０は、一時停止コマンドを解除し、特殊再生の実行を再開する（ステップＳ０９）。
【００４９】
このような本実施例によれば、コンテンツデータの既視聴領域と未視聴領域の境界を最大再生位置として常に記憶しているので、この最大再生位置を超えて未視聴領域を特殊再生しようとしたときに、ユーザに対して警告を発することができる。また、この警告は、コンテンツデータの特殊再生を一時停止した上で発せられるので、ユーザが誤って特殊再生を実行した場合などに、コンテンツデータの未視聴領域を、ユーザが誤視聴することを防止することができる。
【実施例２】
【００５０】
図６は、本発明の本発明の実施例２に係る映像音声再生装置の構成の例を示すブロック図である。
【００５１】
本実施例の映像音声再生装置２は、図１に示した映像音声再生装置１に、外部から誤視聴判定実行制御信号が入力されるようにしたものである。本実施例の映像音声再生装置２の構成自体は、映像音声再生装置１と同じであるので、各ブロックに図１と同じ符号を付し、ここではその詳細な説明を省略する。
【００５２】
本実施例において、外部から入力される誤視聴判定実行制御信号は、誤視聴判定部１６における誤視聴判定の実行／非実行を切り換える信号である。
【００５３】
誤視聴判定実行制御信号が誤視聴判定の実行を指示するときは、誤視聴判定部１６は、実施例１と同様、コンテンツデータの未視聴領域に対する誤視聴判定動作を行なう。
【００５４】
一方、誤視聴判定実行制御信号が誤視聴判定の非実行を指示するときは、誤視聴判定部１６は、コンテンツデータの未視聴領域に対する誤視聴判定動作を行なわない。したがって、この場合、コンテンツデータの未視聴領域が特殊再生されても、映像音声再生装置２からは、特殊再生された映像および音声がそのまま出力される。
【００５５】
このような本実施例によれば、未視聴領域が特殊再生されたときに、誤視聴に対する警告を出力するかしないかを切り換えることができる。これにより、未視聴領域が特殊再生されても不都合のないコンテンツを再生する場合には、未視聴領域の特殊再生に対する警告表示を行わないようにすることができ、必要のないときも警告が表示される、というユーザの不満を解消することができる。
【実施例３】
【００５６】
図７は、本発明の本発明の実施例３に係る映像音声再生装置の構成の例を示すブロック図である。
【００５７】
本実施例の映像音声再生装置３は、図１に示した映像音声再生装置１の警告発生部１７の代わりに警告発生部１７Ａを用い、図１の多重化部１８を選択部３８に置換したものである。その他の、図１に示したブロックと同等の機能を有するブロックには図１と同一の符号を付し、ここではその詳細な説明を省略する。
【００５８】
本実施例の警告発生部１７Ａは、誤視聴判定部１６が誤視聴と判定したときに、警告用の画像として再生部１１から出力される映像信号にモザイク加工やぼかし加工などの特殊な加工をした画像を出力する。また、警告用音声として、再生部１１から出力される音声信号に消音（ミュート）加工を行なって、無音音声を出力する。
【００５９】
選択部３８は、視聴判定部１６が誤視聴と判定したときに、再生部１１から出力される映像および音声再生信号に代えて、警告発生部１７Ａから出力される特殊な加工をされた映像および無音音声による警告を出力する。
【００６０】
これにより、コンテンツデータの未視聴領域を特殊再生したときは、映像音声再生装置３から特殊な加工をされた映像および無音音声が出力され、ユーザは、コンテンツデータの未視聴領域の内容を知ることができない。すなわち、未視聴領域の誤視聴を防止できる。
【００６１】
次に、本実施例の映像音声再生装置３を用いてコンテンツデータの未視聴領域の誤視聴を防止する方法について、図８を用いて説明する。
【００６２】
図８は、映像音声再生装置３を用いた未視聴領域の誤視聴防止方法のフローを示すフロー図である。本フローにおけるステップＳ１１〜Ｓ１４までの処理は、図４に示したフローのステップＳ０１〜Ｓ０４までの処理と同じであるので、ここではその説明を省略する。
【００６３】
図８のステップＳ１４で、現在の再生位置が最大再生位置を超えていると判明したときは（ＹＥＳ）、誤視聴判定部１６は、未視聴領域の誤視聴と判定する。これを受けて、警告発生部１７Ａは、再生部１１から出力される映像信号にモザイク加工やぼかし加工などの特殊な加工、および再生部１１から出力される音声信号に消音（ミュート）加工を行なう（ステップＳ１５）。
【００６４】
この加工された画像および音声は、選択部３８により選択され、例えば、テレビ受像機などの映像／音声表示装置に警告として表示される（ステップＳ１６）。
【００６５】
この警告表示には、実行中の特殊再生を中止していいかどうかをユーザに確認する表示が含まれており、特殊再生中止に対するユーザの判断を求める（ステップＳ１７）。
【００６６】
図９に、例えば、未視聴領域を早送り再生しようとしたときに、テレビ受像機に表示される警告表示の例を示す。
【００６７】
この例では、テレビ受像機の画面には、モザイク加工された早送り再生画像が表示されるとともに、未視聴領域を早送り再生しようとしていることを警告するメッセージと、実行中の特殊再生を中止していいかどうかをユーザに確認する画面が表示される。この確認画面に対して、ユーザは、「中止」または「いいえ」のボタンを押して回答する。
【００６８】
なお、テレビ受像機の音声出力は、無音状態となる。
【００６９】
図８に戻って、ユーザから特殊再生を「中止する」との回答があった場合（ステップＳ１７のＹＥＳ）、再生制御部５０は、停止コマンドを発行し（ステップＳ１８）、特殊再生の実行を中止させる。
【００７０】
一方、ユーザから特殊再生を「中止しない」との回答があった場合（ステップＳ１７のＮＯ）、選択部３８は、警告発生部１７Ａからの出力に代えて、再生部１１から出力される映像信号および音声信号を外部へ出力するようにする。すなわち、映像音声再生装置３の出力は、加工のされていない画像や音声の特殊再生へ復帰する（ステップＳ１９）。
【００７１】
このような本実施例によれば、警告表示をするときに、再生を一時停止する必要がなく、再生制御を簡単化することができる。
【実施例４】
【００７２】
図１０は、本発明の本発明の実施例４に係る映像音声再生装置の構成の例を示すブロック図である。
【００７３】
本実施例の映像音声再生装置４は、図７に示した映像音声再生装置３に、外部から誤視聴判定実行制御信号が入力されるようにしたものである。本実施例の映像音声再生装置４の構成自体は、映像音声再生装置３と同じであるので、各ブロックに図１と同じ符号を付し、ここではその詳細な説明を省略する。また、外部から入力される誤視聴判定実行制御信号の働きは、図６に示した映像音声再生装置２における誤視聴判定実行制御信号の働きと同じであるので、ここではその説明も省略する。
【００７４】
このような本実施例によれば、未視聴領域が特殊再生されたときに、実施例２と同様、誤視聴に対する警告を出力するかしないかを切り換えることができる。これにより、未視聴領域が特殊再生されても不都合のないコンテンツを再生する場合には、実施例２と同様、未視聴領域の特殊再生に対する警告表示を行わないようにすることができ、必要のないときも警告が表示される、というユーザの不満を解消することができる。
【図面の簡単な説明】
【００７５】
【図１】本発明の実施例１に係る映像音声再生装置の構成の例を示すブロック図。
【図２】図１に示す最大再生位置更新部の動作を説明するための図。
【図３】図１に示す誤視聴判定部の動作を説明するための図。
【図４】本発明の実施例１に係る映像音声再生装置を用いた未視聴領域の誤視聴防止方法のフローを示すフロー図。
【図５】本発明の実施例１に係る映像音声再生装置における警告表示の例。
【図６】本発明の実施例２に係る映像音声再生装置の構成の例を示すブロック図。
【図７】本発明の実施例３に係る映像音声再生装置の構成の例を示すブロック図。
【図８】本発明の実施例３に係る映像音声再生装置を用いた未視聴領域の誤視聴防止方法のフローを示すフロー図。
【図９】本発明の実施例３に係る映像音声再生装置における警告表示の例。
【図１０】本発明の実施例４に係る映像音声再生装置の構成の例を示すブロック図。
【符号の説明】
【００７６】
１、２、３、４  映像音声再生装置
１１  再生部
１２  最大再生位置記憶部
１３  最大再生位置更新部
１４  再生位置検出部
１５  コマンド入力監視部
１６  誤視聴判定部
１７、１７Ａ  警告発生部
１８  多重化部
３８  選択部
５０  再生制御部
【図１】
2007287240.tif 000003
【図２】
2007287240.tif 000004
【図３】
2007287240.tif 000005
【図４】
2007287240.tif 000006
【図５】
2007287240.tif 000007
【図６】
2007287240.tif 000008
【図７】
2007287240.tif 000009
【図８】
2007287240.tif 000010
【図９】
2007287240.tif 000011
【図１０】
2007287240.tif 000012